(57)【要約】  同期方法及び装置が提供される。この装置は，フレーム形式信号の標本と参照信号との相関を取るように構成した相関器（７００）と，所定の期間，前記の相関結果を合計するように構成した加算器ブロック（７０２）と，所定の参照値と前記の合計とを比較するように構成した比較器（７０４）と，制御器（７０６）であって，前記合計が前記参照値を超えたときは，周波数補正チャネルが検出されたと判定し，前記フレーム形式信号内の周波数補正チャネルの位置を記憶し，この相関処理を終了する，ように構成し，そうでなければこの相関処理に予約された時間が終了するまで相関及び比較を継続し，前記加算器ブロック内の値を保存し，前記相関処理に予約された新規の時間が到来したとき，前記処理を再開するように前記装置を制御するように構成する制御器と，を備える。
2010502147.tif 000002
【特許請求の範囲】
【請求項１】
ユーザ装置における方法であって，
１又は複数の割当てスロットにおいて所定の周波数で第１基地局と通信するステップであって，前記第１基地局は待機フレームを含むフレーム形式信号を送信するステップと，
待機フレーム直前の割当てスロットが終了したとき，前記ユーザ装置がコネクションを有していない第２基地局が信号を送信している周波数に同調するステップと，
前記第２基地局が送信したフレーム形式信号を受信するステップと，
前記の受信した信号と参照信号との相関を取るステップと，
所定の期間，加算器ブロックによって相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この処理を終了するステップ，そうでなければ
前記待機フレームが終了するまで相関及び比較を継続し，
前記加算器ブロック内の値を保存し，
前記第１基地局が用いる周波数に再同調し，
２待機フレームごとに前記の処理を継続するステップと，
を有する方法。
【請求項２】
新規の相関結果が計算されたとき，一番古い相関結果を加算器ブロックから削除するステップを更に有する請求項１に記載の方法。
【請求項３】
前記第２基地局から受信したフレーム形式信号のｍ個の連続するシンボル期間に相関結果を計算するステップであって，ｍは正整数とするステップと，
周波数補正チャネルの長さに等しい所定期間に相関結果を合計するステップと，
を更に有する請求項１又は２に記載の方法。
【請求項４】
前記第２基地局の周波数に関して相関処理を開始するとき，前記加算器ブロック内の値をリセットするステップを更に有する請求項１，２又は３に記載の方法。
【請求項５】
交互の待機フレームそれぞれに一つ，都合二つの加算器ブロックを用いて，前記第２基地局から受信した信号内の前記周波数補正チャネルを探索するステップを更に有する請求項１〜４のいずれか一項に記載の方法。
【請求項６】
前記第２基地局の周波数で相関計算が開始される待機フレームに対して，ｐを０以上の整数としたとき，第１加算器ブロックを用いてｐ＊５２待機フレームの間相関結果を合計し，第２加算器ブロックを用いて２６＋ｐ＊５２待機フレームの間相関結果を合計するステップを更に有する請求項５に記載の方法。
【請求項７】
ユーザ装置であって，
１又は複数の割当てスロットにおいて所定の周波数で第１基地局と通信するように構成した受信器であって，前記第１基地局は待機フレームを含むフレーム形式信号を送信する受信器と，
待機フレーム直前の割当てスロットが終了したとき，前記ユーザ装置がコネクションを有していない第２基地局が信号を送信している周波数に同調するように構成した無線周波ユニットと，
前記第２基地局が送信したフレーム形式信号を標本化するように構成した標本化器と，
前記の標本と参照信号との相関を取るように構成した相関器と，
所定の期間，前記の相関結果を合計するように構成した加算器ブロックと，
所定の参照値と前記の合計を比較するように構成した比較器と，
制御器であって，前記合計が前記参照値を超えたときは，
周波数補正チャネルが検出されたと判定し，
前記フレーム形式信号内の周波数補正チャネルの位置を記憶し，
この相関処理を終了する，
ように構成し，そうでなければ
前記待機フレームが終了するまで相関及び比較を継続し，
前記加算器ブロック内の値を保存し，
前記第１基地局が用いる周波数に再同調し，
２待機フレームごとに前記の処理を継続するように前記ユーザ装置を制御する，
ように構成する制御器と，
を備えるユーザ装置。
【請求項８】
新規の相関結果が計算されたとき，一番古い相関結果を加算器ブロックから削除するように構成した制御器を更に備える請求項７に記載のユーザ装置。
【請求項９】
交互の待機フレームそれぞれに一つ，都合二つの加算器ブロックを用いて，前記第２基地局から受信した信号内の前記周波数補正チャネルを探索するステップを更に有する請求項７又は８に記載のユーザ装置。
【請求項１０】
前記第２基地局の周波数で相関計算が開始される待機フレームに対して，ｐを０以上の整数としたとき，ｐ＊５２待機フレームの間相関結果を合計する第１加算器ブロックと，２６＋ｐ＊５２待機フレームの間相関結果を合計する第２加算器ブロックと，更に備える請求項９に記載のユーザ装置。
【請求項１１】
装置であって，
フレーム形式信号の標本と参照信号との相関を取るように構成した相関器と，
所定の期間，前記の相関結果を合計するように構成した加算器ブロックと，
所定の参照値と前記の合計を比較するように構成した比較器と，
制御器であって，前記合計が前記参照値を超えたときは，
周波数補正チャネルが検出されたと判定し，
前記フレーム形式信号内の周波数補正チャネルの位置を記憶し，
この相関処理を終了する，
ように構成し，そうでなければ
この相関処理に予約された時間が終了するまで相関及び比較を継続し，
前記加算器ブロック内の値を保存し，
前記相関処理に予約された新規の時間が到来したとき，前記処理を再開するように前記装置を制御する
ように構成する制御器と，
を備える装置。
【請求項１２】
二つの加算器ブロックを備え，該二つの加算器ブロックを交互に用いて前記の標本化信号内の周波数相関チャネルを探索するように構成した請求項１１に記載の装置。
【請求項１３】
標本化したフレーム形式信号を受信するステップと，
前記の標本化信号と参照信号との相関を取るステップと，
所定の期間，加算器ブロックによって前記の相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この相関処理を終了するステップ，
そうでなければ
前記待機フレームが終了するまで相関及び比較を継続し，
前記加算器ブロック内の値を保存し，
前記相関処理に予約された新規の時間が到来したとき，前記の処理を継続するステップと，
を有する方法。
【請求項１４】
ユーザ装置であって，
１又は複数の割当てスロットにおいて所定の周波数で第１基地局と通信する手段であって，前記第１基地局は待機フレームを含むフレーム形式信号を送信する手段と，
待機フレーム直前の割当てスロットが終了したとき，前記ユーザ装置がコネクションを有していない第２基地局が信号を送信している周波数に同調する手段と，
前記第２基地局が送信したフレーム形式信号を標本化する手段と，
前記の標本と参照信号との相関を取る手段と，
所定の期間，相関結果を合計する加算手段と，
所定の参照値と前記の合計を比較する手段と，
制御手段であって，前記合計が前記参照値を超えたときは，
周波数補正チャネルが検出されたと判定し，
前記フレーム形式信号内の周波数補正チャネルの位置を記憶し，
この処理を終了する手段，そうでなければ
前記待機フレームが終了するまで相関及び比較を継続し，
前記加算器ブロック内の値を保存し，
前記第１基地局が用いる周波数に再同調するように無線周波ユニットを制御し，
２待機フレームごとに前記の処理を継続するように前記ユーザ装置を制御する手段と，
を備えるユーザ装置。
【請求項１５】
周波数補正チャネルを検出する計算機処理を実行する命令からなる計算機プログラムを符号化する計算機プログラム製品であって，前記処理は
１又は複数の割当てスロットにおいて所定の周波数で第１基地局と通信するステップであって，前記第１基地局は待機フレームを含むフレーム形式信号を送信するステップと，
待機フレームの前の最終割当てスロットが終了したとき，前記ユーザ装置がコネクションを有していない第２基地局が信号を送信している周波数に同調するステップと，
前記第２基地局が送信したフレーム形式信号を受信するステップと，
前記の受信した信号と参照信号との相関を取るステップと，
所定の期間，加算器ブロックによって相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この処理を終了するステップ，そうでなければ
前記待機フレームが終了するまで相関及び比較を継続し，
前記加算器ブロック内の値を保存し，
前記第１基地局が用いる周波数に再同調し，
２待機フレームごとに前記の処理を継続するステップと，
を有する計算機プログラム製品。
【請求項１６】
計算機可読であり，周波数補正チャネルを検出する計算機処理を実行する命令からなる計算機プログラムを符号化する計算機プログラム配布媒体であって，前記処理は
１又は複数の割当てスロットにおいて所定の周波数で第１基地局と通信するステップであって，前記第１基地局は待機フレームを含むフレーム形式信号を送信するステップと，
待機フレームの前の最終割当てスロットが終了したとき，前記ユーザ装置がコネクションを有していない第２基地局が信号を送信している周波数に同調するステップと，
前記第２基地局が送信したフレーム形式信号を受信するステップと，
前記の受信した信号と参照信号との相関を取るステップと，
所定の期間，加算器ブロックによって相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この処理を終了するステップ，そうでなければ
前記待機フレームが終了するまで相関及び比較を継続し，
前記加算器ブロック内の値を保存し，
前記第１基地局が用いる周波数に再同調し，
２待機フレームごとに前記の処理を継続するステップと，
を有する計算機プログラム配布媒体。
【請求項１７】
前記配布媒体は，計算機可読媒体と，プログラム記憶媒体と，記録媒体と，計算機可読メモリと，計算機可読ソフトウェア配布パッケージと，計算機可読信号と，計算機可読通信信号と，計算機可読圧縮ソフトウェアパッケージと，のうち少なくとも一つを含む請求項１６に記載の計算機プログラム配布媒体。
【発明の詳細な説明】
【技術分野】
【０００１】
本発明は，通信システムにおける同期に関する。
【背景技術】
【０００２】
デジタル通信網において，移動体ユニットは基地局と通信が可能になる前に，網及びサービス提供基地局についての情報を取得しなければならない。この処理は３ステップで実行されることが多い。移動体ユニットは，周波数及び時間を基地局と同期させなければならない。最後に移動体ユニットは，基地局が送信した信号から基地局データを取得する。
【０００３】
多くの通信システムにおいて，移動体ユニットはたとえ基地局と通信していても，ハンドオーバのために類似の動作を実行する。ハンドオーバを素早く実行しなければならないとき，移動体ユニットは近隣の基地局信号の周波数を走査し，得られた情報を記憶しておいてもよい。
【０００４】
多くの通信システムにおいて，無線インタフェース構造は測定の必要性を考慮に入れている。フレーム構造は，種々の測定を実行できる期間を移動体ユニットに提供できる。
【０００５】
ＧＳＭ（世界移動体通信システム）を用いたシステムにおいては，無線インタフェース構造はフレームを用いている。情報データを送信するために用いられるフレームは，８スロットを含む。フレームは，２６個の連続するフレームを含む多重フレームに整理されている。これら２６フレームのうち，低速付随制御チャネル及び待機（ｉｄｌｅ）フレームである最後のフレームに予約されている１３フレーム以外のすべてのフレームは，情報チャネルを送信するために用いられる。最後のフレームでは何も送信されない。したがって移動体ユニットは，最後のフレーム期間で測定を行うことができる。移動体ユニットは，近隣基地局の信号強度を測定してもよいし，新規基地局を探索してもよい。
【０００６】
ＧＳＭを用いるシステムにおいては，移動体ユニットが基地局と同期することができるように，基地局が周波数補正チャネル（ＦＣＣＨ）を送信する。ＦＣＣＨは，５１フレームを含む多重フレームを用い，一つの周波数で送信される。ＦＣＣＨはこれら５１フレームの間に５回，フレームの最初のスロットで送信される。ほかの制御データは，多重フレームの残りのフレームで送信される。
【０００７】
通常移動体ユニットはＦＣＣＨを探索するのに次のスケジュールを用いる。最初に，現在のＴＸ／ＲＸ周波数からＦＣＣＨ探索を実行する周波数への切替えに０．５スロットが必要である。相関を計算する際，正しい結果を取得するために必要なＦＣＣＨ相関器バッファを満たすために１スロットが必要である。ＦＣＣＨ探索に８スロットが費やされる。この探索は所定の周波数上の信号を受信し，この信号と既知のＦＣＣＨ信号パターンとの相関を取ることによって行われる。高い相関値が検出されたときは，ＦＣＣＨが見付かった可能性がある。最後に，ＦＣＣＨ周波数から現在のＴＸ／ＲＸ周波数に切り替えるために０．５スロットが必要である。このように完全な動作には１０スロット掛かる。
【０００８】
多くの場合，移動体ユニットは何の問題もなく上記の操作を行うことができる。通常運用では，移動体ユニットは一つのスロットで二つの送信方向（アップリンク及びダウンリンク）の送信及び受信を行う。しかし高ビット速度の強化データ通信に対応するために，新規な多スロット情報クラスが提案されている。多スロット運用においては，移動体ユニットはフレーム内のいくつかのスロットを用いることができる。例えば移動体ユニットは７スロットを用いて受信してもよいし，送受信に予約したスロットの合計は６でもよい。このような多スロット構成は，パケット交換データ情報に用いてもよいし，移動体ユニットが回線交換コネクションと，パケット交換コネクションとを同時に活性にする２重転送モードで用いてもよい。
【０００９】
高速多スロットコネクションを有する移動体ユニットは，待機フレーム期間に上述のＦＣＣＨ探索を行うことができない。高速多スロットコネクションでは，移動体ユニットはフレームの７番目のスロットで送信又は受信を行うことができる。したがって，待機フレームと合わせて，移動体ユニットは測定のために９スロットだけしか使えない。
【００１０】
上述の課題を解決するために，本明細書によれば移動体ユニットは完全なＦＣＣＨ探索を行うために１つのＲＸスロット又はＴＸスロットをスキップすることができる。しかしほかの網要素は，いつ移動体ユニットがスロットをスキップするか知らないので，この方法は再送数が多くなり，データスループットが減少することになる。
【発明の概要】
【課題を解決するための手段】
【００１１】
本発明の目的は，同期方法を改善することにある。本発明の一態様によればユーザ装置における方法が提供され，この方法は，１又は複数の割当てスロットにおいて所定の周波数で第１基地局と通信するステップであって，上記第１基地局は待機フレームを含むフレーム形式信号を送信するステップと，待機フレームの前の最終割当てスロットが終了したとき，上記ユーザ装置がコネクションを有していない第２基地局が信号を送信している周波数に同調するステップと，上記第２基地局が送信したフレーム形式信号を受信するステップと，上記の受信した信号と参照信号との相関を取るステップと，所定の期間，加算器ブロックによって相関結果を合計するステップと，所定の参照値と上記の合計を比較し，上記合計が上記参照値を超えたときは，周波数補正チャネルが検出されたと判定し，上記フレーム形式信号内の周波数補正チャネルの位置を記憶し，この処理を終了するステップ，そうでなければ上記待機フレームが終了するまで相関及び比較を継続し，上記加算器ブロック内の値を保存し，上記第１基地局が用いる周波数に再同調し，２待機フレームごとに上記の処理を継続するステップと，を有する。
【００１２】
本発明の別の態様によればユーザ装置が提供され，このユーザ装置は，１又は複数の割当てスロットにおいて所定の周波数で第１基地局と通信するように構成した受信器であって，上記第１基地局は待機フレームを含むフレーム形式信号を送信する受信器と，待機フレームの前の最終割当てスロットが終了したとき，上記ユーザ装置がコネクションを有していない第２基地局が信号を送信している周波数に同調するように構成した無線周波ユニットと，上記第２基地局が送信したフレーム形式信号を標本化するように構成した標本化器と，上記の標本と参照信号との相関を取るように構成した相関器と，所定の期間，上記の相関結果を合計するように構成した加算器ブロックと，所定の参照値と上記の合計を比較するように構成した比較器と，制御器であって，上記合計が上記参照値を超えたときは，周波数補正チャネルが検出されたと判定し，上記フレーム形式信号内の周波数補正チャネルの位置を記憶し，この相関処理を終了する，ように構成し，そうでなければ上記待機フレームが終了するまで相関及び比較を継続し，上記加算器ブロック内の値を保存し，上記第１基地局が用いる周波数に再同調し，２待機フレームごとに上記の処理を継続するように上記ユーザ装置を制御する，ように構成する制御器と，を備える。
【００１３】
本発明の別の態様によれば装置が提供され，この装置は，フレーム形式信号の標本と参照信号との相関を取るように構成した相関器と，所定の期間，上記の相関結果を合計するように構成した加算器ブロックと，所定の参照値と上記の合計を比較するように構成した比較器と，制御器であって，上記合計が上記参照値を超えたときは，周波数補正チャネルが検出されたと判定し，上記フレーム形式信号内の周波数補正チャネルの位置を記憶し，この相関処理を終了する，ように構成し，そうでなければこの相関処理に予約された時間が終了するまで相関及び比較を継続し，上記加算器ブロック内の値を保存し，上記相関処理に予約された新規の時間が到来したとき，上記処理を再開するように上記装置を制御するように構成する制御器と，を備える。
【００１４】
本発明の別の態様によれば方法が提供され，この方法は，標本化したフレーム形式信号を受信するステップと，上記の標本化信号と参照信号との相関を取るステップと，所定の期間，加算器ブロックによって上記の相関結果を合計するステップと，所定の参照値と上記の合計を比較し，上記合計が上記参照値を超えたときは，周波数補正チャネルが検出されたと判定し，上記フレーム形式信号内の周波数補正チャネルの位置を記憶し，この相関処理を終了するステップ，そうでなければ上記待機フレームが終了するまで相関及び比較を継続し，上記加算器ブロック内の値を保存し，上記相関処理に予約された新規の時間が到来したとき，上記の処理を継続するステップと，を有する。
【００１５】
本発明の別の態様によればユーザ装置が提供され，このユーザ装置は，１又は複数の割当てスロットにおいて所定の周波数で第１基地局と通信する手段であって，上記第１基地局は待機フレームを含むフレーム形式信号を送信する手段と，待機フレームの前の最終割当てスロットが終了したとき，上記ユーザ装置がコネクションを有していない第２基地局が信号を送信している周波数に同調する手段と，上記第２基地局が送信したフレーム形式信号を標本化する手段と，上記の標本と参照信号との相関を取る手段と，所定の期間，相関結果を合計する加算手段と，所定の参照値と上記の合計を比較する手段と，制御手段であって，上記合計が上記参照値を超えたときは，周波数補正チャネルが検出されたと判定し，上記フレーム形式信号内の周波数補正チャネルの位置を記憶し，この処理を終了する手段，そうでなければ上記待機フレームが終了するまで相関及び比較を継続し，上記加算器ブロック内の値を保存し，上記第１基地局が用いる周波数に再同調するように無線周波ユニットを制御し，２待機フレームごとに上記の処理を継続するように上記ユーザ装置を制御する手段，とを備える。
【００１６】
本発明の別の態様によれば周波数補正チャネルを検出する計算機処理を実行する命令からなる計算機プログラムを符号化する計算機プログラム製品が提供され，上記処理は１又は複数の割当てスロットにおいて所定の周波数で第１基地局と通信するステップであって，上記第１基地局は待機フレームを含むフレーム形式信号を送信するステップと，待機フレームの前の最終割当てスロットが終了したとき，上記ユーザ装置がコネクションを有していない第２基地局が信号を送信している周波数に同調するステップと，上記第２基地局が送信したフレーム形式信号を受信するステップと，上記の受信した信号と参照信号との相関を取るステップと，所定の期間，加算器ブロックによって相関結果を合計するステップと，所定の参照値と上記の合計を比較し，上記合計が上記参照値を超えたときは，周波数補正チャネルが検出されたと判定し，上記フレーム形式信号内の周波数補正チャネルの位置を記憶し，この処理を終了するステップ，そうでなければ上記待機フレームが終了するまで相関及び比較を継続し，上記加算器ブロック内の値を保存し，上記第１基地局が用いる周波数に再同調し，２待機フレームごとに上記の処理を継続するステップと，を有する。
【００１７】
本発明の別の態様によれば，計算機可読であり，周波数補正チャネルを検出する計算機処理を実行する命令からなる計算機プログラムを符号化する計算機プログラム配布媒体が提供され，上記処理は，１又は複数の割当てスロットにおいて所定の周波数で第１基地局と通信するステップであって，上記第１基地局は待機フレームを含むフレーム形式信号を送信するステップと，待機フレームの前の最終割当てスロットが終了したとき，上記ユーザ装置がコネクションを有していない第２基地局が信号を送信している周波数に同調するステップと，上記第２基地局が送信したフレーム形式信号を受信するステップと，上記の受信した信号と参照信号との相関を取るステップと，所定の期間，加算器ブロックによって相関結果を合計するステップと，所定の参照値と上記の合計を比較し，上記合計が上記参照値を超えたときは，周波数補正チャネルが検出されたと判定し，上記フレーム形式信号内の周波数補正チャネルの位置を記憶し，この処理を終了するステップ，そうでなければ上記待機フレームが終了するまで相関及び比較を継続し，上記加算器ブロック内の値を保存し，上記第１基地局が用いる周波数に再同調し，２待機フレームごとに上記の処理を継続するステップと，を有する。
【発明の効果】
【００１８】
本発明はいくつかの利点を提供する。すなわち，ＦＣＣＨ探索中にＲＸスロット又はＴＸスロットをスキップする必要がない。このため高速多スロットコネクションにおけるスループットが改善される。更に，探索時間が短縮されるので電力消費が低下する。
【００１９】
以降，実施例及び付属の図面を参照して本発明を詳細に説明する。
【図面の簡単な説明】
【００２０】
【図１】無線システムの構造を示す簡単なブロック図である。
【図２】ユーザデータを送信するために用いる典型的な搬送波のフレーム構造を示す図である。
【図３】制御情報を転送するために用いられる可能性のある信号フレーム構造の例を示す図である。
【図４】ＦＣＣＨ測定の実施例を示す図である。
【図５】ＦＣＣＨ測定の実施例を示すフローチャートである。
【図６】ユーザ装置の構造例を示す図である。
【図７Ａ】ＦＣＣＨ測定装置の例を示す図である。
【図７Ｂ】ＦＣＣＨ測定装置の例を示す図である。
【発明を実施するための形態】
【００２１】
まず図１を詳細に説明する。図１はＧＳＭを用いた無線システムの構造を示している。図１は，網要素レベルの最も重要な無線システム部分及びそれらの間のインタフェースを示す簡単なブロック図である。網要素の構造及び動作はよく知られているので，詳細には説明しない。
【００２２】
図１において，コア網ＣＮ１００は通信システムにおける無線接続技術を表している。第１無線システム，すなわち無線接続網１３０及び第２無線システム，すなわち基地局システムＢＳＳ１６０は無線システムを表している。更に同図はユーザ装置ＵＥ１７０も示している。ＵＴＲＡＮという用語はＵＭＴＳ地上無線接続網を指し，無線接続網１３０が広帯域符号分割多元接続ＷＣＤＭＡを用いて実現されていることを意味する。基地局システム１６０は，時分割多元接続ＴＤＭＡを用いて実現されている。
【００２３】
一般には，無線システムが，例えばユーザ装置及び移動機などの用語でも知られる加入者端末と，無線接続網又は基地局システムのような無線システムからなる固定基盤設備を含む網部分と，からなることも規定される。
【００２４】
コア網１００の構造は，ＧＳＭシステムとＧＰＲＳシステムとを結合した構造に対応する。ＧＳＭ網要素は，回線交換コネクションを実現し，ＧＰＲＳ網要素はパケット交換コネクションを実現する。しかしこれら網要素のあるものは，双方のシステムに含まれる。
【００２５】
移動体サービス交換センタＭＳＣ１０２は，コア網１００の回線交換側センタである。同一の移動体サービス交換センタ１０２を，無線接続網１３０及び基地局システム１６０双方のコネクションを提供するために用いることもできる。移動体サービス交換センタ１０２の機能は，交換，一斉呼出し，ユーザ装置位置登録，ハンドオーバ管理，加入者課金情報収集，暗号化パラメータ管理，周波数割当て管理，及びエコー除去を含む。移動体サービス交換センタ１０２の数はさまざまである。すなわち，小規模網事業者は単一の移動体サービス交換センタ１０２を備えるだけでもよいが，大規模コア網１００では数個を備えることがある。
【００２６】
大規模コア網１００は，コア網１００と外部網１８０との間の回線交換コネクションを扱う別個の関門移動体サービス交換センタＧＭＳＣ１１０を備えてもよい。関門移動体サービス交換センタ１１０は，移動体サービス交換センタ１０２と外部網１８０との間に設置される。外部網１８０は，例えば公衆地上移動体網ＰＬＭＮ又は公衆交換電話網ＰＳＴＮであってよい。
【００２７】
帰属位置レジスタＨＬＲ１１４は，固定加入者レジスタ，すなわち例えば次の情報，国際移動体通信加入者識別情報ＩＭＳＩ，移動体通信加入者ＩＳＤＮ番号ＭＳＩＳＤＮ，認証かぎ，及び無線システムがＧＰＲＳに対応するときはＰＤＰアドレス（ＰＤＰ＝パケットデータプロトコル），を含む。
【００２８】
在圏位置レジスタＶＬＲ１０４は，当該移動体サービス交換センタ１０２の範囲内にある移動体ユニット，すなわちユーザ装置１７０のローミングに関する情報を含む。在圏位置レジスタ１０４は，大部分は帰属位置レジスタ１１４と同一の情報を含むが，在圏位置レジスタ１０４においてはそれらの情報は一時的に置かれるだけである。
【００２９】
認証センタＡｕＣ１１６は常に，帰属位置レジスタ１１４と物理的に同一の場所に設置され，個別加入者認証かぎＫｉ，暗号化かぎＣＫ及び対応するＩＭＳＩを含む。
【００３０】
図１に示す網要素は動作上のエンティティであり，その物理的実現法はさまざまである。一般に移動体通信交換センタ１０２と在圏位置レジスタ１０４とを合わせて単一の物理装置をなし，帰属位置レジスタ１１４と認証センタ１１６とが別の物理装置をなす。
【００３１】
サービス提供ＧＰＲＳサポートノードＳＧＳＮ１１８は，コア網１００のパケット交換側センタである。サービス提供ＧＰＲＳサポートノード１１８の主な機能は，無線接続網１３０又は基地局システム１６０を用いてパケット交換伝送に対応するユーザ装置とパケットを送受信することである。サービス提供ＧＰＲＳサポートノード１１８は，ユーザ装置１７０に関する加入者データ及び位置情報を含む。
【００３２】
関門ＧＰＲＳサポートノードＧＧＳＮ１２０は，回線交換側のＧＭＳＣ１１０に対応するパケット交換側部分であるが，関門ＧＰＲＳサポートノード１２０はコア網１００から外部網１８２への出情報を配信できなければならないのに対して，ＧＭＳＣ１１０は入情報だけを配信する点が異なる。この例において，インターネットは外部網１８２を代表するものである。
【００３３】
第１無線システム，すなわち無線接続網１３０は無線網サブシステムＲＮＳ１４０，１５０からなっている。無線網サブシステム１４０，１５０はそれぞれ，無線網制御装置ＲＮＣ１４６，１５６と，ノードＢ１４２，１４４，１５２，１５４とからなる。ノードＢはいくぶん抽象的な概念であって，しばしば基地局という用語が代わりに用いられる。
【００３４】
網制御装置１４６は，この領域にあるノードＢ１４２，１４４を制御する。原理的には，無線経路を実現する装置と，それに関連する動作をノードＢ１４２，１４４に，そして制御装置を無線網制御装置１４６に置くという思想である。
【００３５】
無線網制御装置１４６は次の動作，ノードＢ１４２，１４４の無線資源管理，セル間ハンドオーバ，周波数管理すなわちノードＢ１４２，１４４への周波数割当て，周波数ホップシーケンス管理，アップリンク方向遅延測定，維持運用，電力制御管理，を処理する。
【００３６】
ノードＢ１４２，１４４は，ＷＣＤＭＡ無線インタフェースを実現する１又は複数の送受信器を備える。通常ノードＢは一つのセルにサービス提供するが，いくつかのセクタに分けたセルにサービス提供する構成も可能である。セルの直径は数ｍから十数ｋｍまでさまざまである。ノードＢ１４２，１４４は次の機能，タイミング進行（timing advance，ＴＡ）計算，アップリンク方向測定，暗号化，暗号復号，及び周波数ホップ，を備える。
【００３７】
第２無線システム，すなわち基地局システム１６０は，基地局制御装置ＢＳＣ１６６及び基地局装置ＢＴＳ１６２，１６４とからなる。基地局制御装置１６６は，基地局装置１６２，１６４を制御する。原理的には，無線経路を実現する装置及びそれに関連した機能を基地局装置１６２，１６４に置き，制御装置を基地局制御装置１６６に置くことがねらいである。基地局制御装置１６６は，無線網制御装置と実質的に同一の機能を扱う。
【００３８】
基地局装置１６２，１６４は，１搬送波，すなわち８スロット，すなわち８物理チャネルを実現する少なくとも一つの送受信器を含む。通常一つの基地局１６２，１６４は一つのセルにサービス提供するが，いくつかのセクタに分けたセルにサービス提供する構成も可能である。基地局１６２，１６４はまたトランスコーダも含むことが考慮される。トランスコーダは，無線システムにおいて用いられる音声符号化モードと，公衆交換電話網において用いられる音声符号化モードとの変換を行うものである。しかし実際には，トランスコーダは通常物理的には移動体サービス交換センタ１０２に置かれる。基地局装置１６２，１６４は，ノードＢに対応する機能を備える。
【００３９】
移動体ユニット，すなわちユーザ装置１７０は二つの部分，すなわち移動体装置ＭＥ１７２と，ＵＭＴＳ加入者識別情報モジュールＵＳＩＭ１７４と，からなる。ユーザ装置１７０は，無線接続網１３０又は基地局システム１６０への無線コネクションを実現する少なくとも一つの送受信器を含む。ユーザ装置１７０は，少なくとも二つの異なる加入者識別情報モジュールを備える。更に移動体ユニット１７０は，アンテナと，ユーザ装置と，バッテリと，を備える。現在，例えば車載端末及び可搬端末のような多くの種類のユーザ装置１７０が存在する。
【００４０】
ＵＳＩＭ１７４は，ユーザに関連する情報と，例えば暗号アルゴリズムなど特に情報セキュリティに関連する情報と，を含む。
【００４１】
図２は，ユーザデータを送信するために用いられる典型的な搬送波のフレーム構造を示す図である。このフレーム構造は，ＧＳＭを用いるシステムにおいて用いられるフレーム構造に対応する。フレーム構造は，２６の連続するフレームからなる多重フレームを含む。最初の１２フレーム（番号０〜１１）は，情報チャネルに用いられる。各フレームは８スロットを含む。１３番目のフレームは低速付随制御チャネル（ＳＡＣＣＨ）を送信するために用いられる。ＳＡＣＣＨは，所定の情報チャネルに付随する制御チャネルである。次の１２フレームもまた，情報チャネルに予約されており，最後のフレーム（フレーム２５）は待機フレームである。待機フレームにおいては何も送信されない。ＧＳＭにおいては多重フレームの長さは１２０ｍｓである。待機フレームは，移動体ユニットが例えば測定を行うことができるように設計されている。
【００４２】
図３は，制御情報を転送するために用いられる可能性のある信号フレーム構造の例を示す図である。フレーム構造は５１フレームを含む。フレーム内に含まれるチャネルは，周波数補正チャネルＦＣＣＨ（図中でＦと記す），同期チャネル（ＳＣＨ）（図中でＳと記す），同報制御チャネルＢＣＣＨ，及び共通制御チャネルＣＣＣＨである。更に，最後のフレームは待機フレームである。チャネルの組合せは，スロット０において，セル内の単一周波数で送信される。これらのチャネルが送信される周波数は，セルを探索している移動体ユニットに対して，セルを規定する。したがって各チャネルは，２以上の周波数では送信されない。
【００４３】
図３に示すとおり，ＦＣＣＨスロットは５１多重フレーム構造中，５回送信される。ＦＣＣＨスロットは，間隔が１０フレーム，ただし５１フレーム期間中１回は１１フレームになるように整理される。したがって，周波数を探索しているユーザ装置は，ＦＣＣＨが検出されるまで所定の時間，走査を行わなければならない。ＦＣＣＨ探索を行う従来方法は，一群の待機フレームにこれを適用することである。一般にユーザ装置は，待機スロットのうち一つがＦＣＣＨスロットを確実に含むように，１２個の連続する待機フレームを必要とする。
【００４４】
本発明の一実施例においては，ＦＣＣＨ探索時間を１スロットだけ短縮することができる。これによって，待機フレームに隣接するＲＸ／ＴＸスロットのスキップを避けることができる。これは，相関バッファ処理を修正することによって可能になる。本発明の実施例においては，ＦＣＣＨ探索の始めに相関バッファを満たすことを避けることができ，したがって従来バッファを満たすために使われた時間（１スロット）を探索に用いることができる。
【００４５】
図２に示すとおり，パケットデータコネクション又は２重転送モードコネクションを有するユーザ装置は，２６番目のフレームがそれぞれ待機フレームである。ユーザ装置は待機フレームｎにおいてＦＣＣＨ探索を行うが，フレームｎ＋５２は待機フレームなので，このフレームでもＦＣＣＨ探索を行うこともできる。ＦＣＣＨ探索期間が８スロットのとき，フレームｎにおけるＦＣＣＨ探索の終わりから，フレームｎ＋５２におけるＦＣＣＨ探索の始めまでの期間は５１フレームである。この期間は５１多重フレームの長さに等しい。したがってユーザ装置は，フレームｎ＋５２の，フレームｎで探索を終了したのと同じフレーム位置から，ＦＣＣＨが送信されている周波数の測定を継続することができる。したがってフレームｎにおいてユーザ装置がＦＣＣＨ探索を終了したときに実行中のＦＣＣＨ送信があったときは，ユーザ装置がフレームｎ＋５２においてＦＣＣＨ探索を開始するときも，実行中のＦＣＣＨ送信がある。
【００４６】
更に，フレームｎ＋５２における送信もまた，ユーザ装置がフレームｎにおいて受信できた最後のシンボルの次のシンボルから継続する。これは，５１多重フレームの長さが０．２５ｓ未満であることによって確実になる。すなわち０．２５ｓは十分に短いので，ＦＣＣＨを送信している基地局の内部クロックと，測定中のユーザ装置の内部クロックとの間には大きなドリフトは生じない。
【００４７】
ＦＣＣＨ探索は，各受信シンボル中にギャップを生じることなく，ＦＣＣＨフレーム内の同一の位置から継続することができるので，その間に相関バッファを空にする必要はない。したがって，探索は待機フレーム測定期間の初めから直ちに開始することができる。
【００４８】
図４及び図５のフローチャートは，ＦＣＣＨ測定の実施例を示す図である。図４は，図２の三つの連続する情報多重フレーム４００，４０２，４０４の一部を示している。この三つの連続する多重フレームは，三つの待機フレーム４０６，４０８，４１０を含んでいる。待機フレーム４０６の終わりから待機フレーム４１０の始めまでは，５１フレームがある。
【００４９】
ステップ５００において，ユーザ装置は，多重フレーム４００の各フレームにおいて，１又は複数の割り当てられたスロットを用いて，所定の周波数で基地局と通信している。このコネクションが多重スロットコネクションのときは，割り当てられたスロット数は，例えば６又は７である。
【００５０】
ステップ５０２において，待機フレーム４０６の直前フレームにおいてユーザ装置のコネクションに割り当てられた最終スロットが終了する。これは，多重フレーム４００のフレームＴ２４である。このフレームが終了するまでに，フレームＴ２４には自由なスロットがほとんどない。高速多重スロットコネクションにおいては，自由なスロットが一つだけある。
【００５１】
ステップ５０４において，ユーザ装置は測定する周波数に同調する。
【００５２】
ステップ５０６において，ユーザ装置は第２基地局が測定周波数で送信したフレーム形式信号の受信を開始する。
【００５３】
ステップ５０８において，ユーザ装置は受信信号と参照信号との相関を取る。参照信号は，理想的なＦＣＣＨ信号であってよい。ＦＣＣＨ信号形式はユーザ装置にとって既知である。相関の計算は，相関結果を受信信号合計電力の逆数で正規化することを含んでもよい。通常，相関は短期間のブロックで行われる。ブロック長は，８シンボルのような数シンボルであってよい。ブロック長は，ユーザ装置によって異なっていてもよい。
【００５４】
ステップ５１０において，ユーザ装置は相関結果を所定の期間に渡って加算器ブロックで合計する。合計は，移動合計として行われる。したがって直近のブロックの相関結果が加算され，一番古い相関結果は合計から除外される。一実施例においては，合計期間の長さはＦＣＣＨスロット長にほぼ等しい。
【００５５】
ステップ５１２において，ユーザ装置は計算した合計と所定の参照値とを比較する。参照値はシステムパラメータであってもよいし，装置実装に依存してもよい。
【００５６】
合計が参照値を超えたとき，ユーザ装置は周波数補正チャネルＦＣＣＨが検出されたと判断する。この場合，ユーザ装置は受信したフレーム形式信号内の周波数補正チャネルの位置を記憶し，ステップ５１４において処理を終了する。
【００５７】
ＦＣＣＨが見付からないときは，ユーザ装置はステップ５１６において待機フレーム４０６が終了したかどうかを検査する。終了していないときは，処理はステップ５０８で継続する。相関処理及び比較処理は，待機フレーム４０６が終了するか，ＦＣＣＨが見付かるまで継続する。
【００５８】
待機フレームが終了したときは，ユーザ装置はステップ５１８において値を加算器ブロックに保存する。
【００５９】
ステップ５２０において，ユーザ装置は第１基地局が用いている周波数に再同調し，多重フレーム４０２で第１基地局と通信を開始する。
【００６０】
ステップ５２２において，上記の処理を２待機フレームごとに継続する。待機フレーム４０６の終わりから待機フレーム４１０の始めまで５１フレームあるので，ユーザ装置はフレーム４１０においてフレーム４０６で探索を終了したのと同一のフレーム位置から，ＦＣＣＨが送信されている周波数の測定を継続することができる。
【００６１】
本発明の一実施例においては，参照値を超える合計値が発見されたとき，直ちには探索を終了しない。その代わり，探索を継続してより良い値が見付かるかどうか検査する。現時点の最大合計値及び対応するフレーム位置をメモリに保存する。
【００６２】
図６はユーザ装置の構造の例を示す図である。ユーザ装置は，アンテナ６００と，該アンテナに接続した無線周波ユニット６０２と，を備える。無線周波ユニットはアンテナを用いて無線周波信号を受信し，その信号を増幅及びろ波する。信号は中間周波数又は基底帯域周波数に変換してもよい。信号は標本化器，すなわちＡ／Ｄ変換器６０４に導かれ，受信信号の標本が取られる。信号は，１又は複数の割当てスロットで基地局と通信するように構成された受信器６０６に更に導かれる。
【００６３】
ユーザ装置は，ユーザ装置の動作を制御するように構成された制御装置６０８を更に備える。
【００６４】
ユーザ装置は，標本化器６０４に接続された測定装置６１０を更に備える。装置６１０は，上述の制御装置の制御下で受信信号の相関を取ることによってＦＣＣＨ探索を実行するように構成される。
【００６５】
一実施例においては，制御装置は無線周波ユニットを制御して測定周波数に同調させ，受信信号を装置６１０に接続する。待機フレームが終了したときは，制御装置は無線周波ユニットを制御して第１基地局と通信していたとき用いた周波数に同調させ，受信信号を受信器６０６に接続する。
【００６６】
図７Ａは装置６１０の構造例を示す図である。装置は相関器７００を備える。相関器は標本化器からの信号，すなわち受信信号の標本を入力とする。相関器は標本と参照信号との相関を取るように構成される。
【００６７】
装置は，相関器の出力に接続された加算器ブロック７０２を備える。加算器ブロック７０２は，所定の期間，相関結果を移動合計として合計するように構成される。
【００６８】
装置は，加算器ブロック７０２の出力に接続された比較器７０４を更に備える。比較器７０４は，合計と所定の参照値とを比較するように構成される。
【００６９】
装置は，制御装置７０６を更に備え，制御装置は，比較器７０４内の合計が参照値を超えたとき，周波数補正チャネルが検出されたと判断し，周波数補正チャネルの位置を記憶し，相関処理を終了するように構成される。
【００７０】
そうでないときは，相関処理用に予約された時間が終了するまで，相関及び比較を継続するように制御し，加算器ブロック７０２内に値を保存し，相関処理用に新たに予約された時間が到来したとき，上述の処理を再開するように装置を制御するように構成される。
【００７１】
制御装置７０６は，図６の制御装置６０８と同一であってもよいし，制御装置６０８が制御してもよい。
【００７２】
制御装置６０８及び７０６は，デジタル信号処理装置及び関連ソフトウェアによって実現してもよい。装置６１０は，全体として１又は複数のデジタル信号処理装置又は個別回路と，関連ソフトウェアとによって実現してもよい。
【００７３】
上記の例において，待機フレーム４０８はスキップされる。図７Ｂは，交互に待機フレームを利用することができる装置６１０の構造を示す図である。
【００７４】
装置は相関器７００を備える。相関器は，標本化器からの信号，すなわち受信信号の標本を入力とする。相関器は標本と参照信号との相関を取るように構成される。
【００７５】
図７Ｂの装置は二つの加算器ブロック７０２Ａ及び７０２Ｂを備える。装置は，相関器７００の出力を上記二つの加算器部ブロックのうちいずれか一つに切り替えるように構成された切替えユニット７０８を備える。
【００７６】
図７Ａの例にあるように，加算器ブロック７０２Ａ及び７０２Ｂは，所定期間に渡って移動合計として相関結果を合計するように構成される。
【００７７】
装置は，加算器ブロック７０２Ａ及び７０２Ｂの出力に接続された比較器７０４を更に備える。比較器７０４は，合計と所定の参照値とを比較するように構成される。
【００７８】
装置は制御装置７０６を更に備える。制御装置は，切替えユニット７０８を制御し，比較器７０４内の合計が参照値を超えたとき周波数補正チャネルが検出されたと判断し，周波数補正チャネルの位置を記憶し，相関処理を終了するように構成される。
【００７９】
そうでないときは，相関処理用に予約された時間が終了するまで，相関及び比較を継続するように制御し，加算器ブロック７０２Ａ，７０２Ｂ内に値を保存し，相関処理用に新たに予約された時間が到来したとき，上述の処理を再開するように装置を制御するように構成される。
【００８０】
制御装置７０６は，相関器７００の出力を上記二つの加算器部ブロック７０２Ａ及び７０２Ｂのうちいずれか一つに切り替えるように切替えユニット７０８を制御する。
【００８１】
ＦＣＣＨ探索がフレームｎで開始されると想定すると，加算器ブロック７０２Ａはフレームｎ＋ｐ＊５２からの部分結果を計算するために用いられ，加算器ブロック７０２Ｂはフレームｎ＋２６＋ｐ＊５２からの部分結果を計算するために用いられる。ここでｐは０から始まる整数である。すべての可能性のあるＦＣＣＨスロット位置を含めるためには，１３待機フレームが必要であることが分かる。
【００８２】
加算器ブロック７０２Ａが最初に満たされると想定する。加算器ブロック７０２Ａについては，ｐは０から６まで変化することが必要であり，加算器ブロック７０２Ｂについては，ｐは０から５まで変化することが必要である。相関値合計は移動合計として計算される。したがって双方の加算器ブロックは，新規周波数で探索を開始するときだけリセットされる。加算器ブロックは，待機フレームと待機フレームの間ではリセットされない。探索期間中，一番古い部分結果は除外され，相関値合計は常にＦＣＣＨスロットの長さにほぼ等しい期間に渡って計算される。最も可能性の高いＦＣＣＨ位置を見付けるために，ユーザ装置は双方の相関ブロックから最も高い相関結果を見付ける必要がある。
【００８３】
図４を参照すると，加算器ブロック７０２Ａは待機フレーム４０６，４１０，等を用いる。これに対応して加算器ブロック７０２Ｂは，待機フレーム４０８，及び待機フレーム４１０等に続く待機フレームを用いる。
【００８４】
この実施例においては，すべての待機フレームが用いられ，測定する周波数の多重フレーム構造を二つの部分で探索するので，従来の実施例に比べて探索は２倍速く処理される。
【００８５】
フレームｎにおいて実行中の探索を新規待機フレームｎ＋５２において継続するとき，ユーザ装置はフレームｎからの結果と，フレームｎ＋５２からの結果とを非整合的（non-coherently）に結合する必要がある。したがって，各フレーム間の位相遷移を補正する必要がある。しかしこれは少数のブロックに渡って相関値を計算し，より長い期間に渡ってそれらを合計することによって容易に実施することができる。相関処理によって位相遷移は除去される。
【００８６】
上述の測定スケジュールは，探索が直ちに継続できるので先行技術による方法に比べて高速である。加算器ブロックに記憶されたデータを利用できるので，ブロックが新規データで満たされるのを待機する必要はない。
【００８７】
測定スケジュールは次のとおりである。最初に現在のＴＸ／ＲＸ周波数からＦＣＣＨ探索を行う周波数へ切り替えるために０．５スロットが必要である。ＦＣＣＨ探索に８スロットが費やされる。次の待機フレームから最後の待機フレームまで，探索が終了したのと同一の信号フレーム構造位置から探索を継続する。最後に，ＦＣＣＨ周波数から現在のＴＸ／ＲＸ周波数に切り替えるために０．５スロットが必要である。このように完全な動作には９スロット掛かるが，それらは移動体ユニットが高速多重スロットコネクションを有しているときでも利用可能である。
【００８８】
本発明の実施例は，ＲＦユニットと，Ａ／Ｄ変換器と，デジタル信号処理装置又は均等な処理装置とを備えた電子デバイスによって実現することができる。処理装置は，図５のフローチャートと，図２，３，４，６，及び７Ｘと，に関連して説明したステップのうち少なくともいくつかを実行するように構成することができる。実施例は，周波数補正チャネルを検出する計算機処理を実行する命令を有する計算機プログラムとして実現してもよく，この処理は，１又は複数の割当てスロットにおいて所定の周波数で第１基地局と通信するステップであって，上記第１基地局は待機フレームを含むフレーム形式信号を送信するステップと，待機フレームの前の最終割当てスロットが終了したとき，上記ユーザ装置がコネクションを有していない第２基地局が信号を送信している周波数に同調するステップと，上記第２基地局が送信したフレーム形式信号を受信するステップと，上記の受信した信号と参照信号との相関を取るステップと，所定の期間，加算器ブロックによって相関結果を合計するステップと，所定の参照値と上記の合計を比較するステップと，上記合計が上記参照値を超えたときは，周波数補正チャネルが検出されたと判定し，上記フレーム形式信号内の周波数補正チャネルの位置を記憶し，この処理を終了するステップ，そうでなければ上記待機フレームが終了するまで相関及び比較を継続し，上記加算器ブロック内の値を保存し，上記第１基地局が用いる周波数に再同調し，２待機フレームごとに上記の処理を継続するステップ，とを有する。
【００８９】
上記の計算機プログラムは，計算機又は処理装置が読み出すことができる計算機プログラム配布媒体に記憶させてもよい。計算機プログラム配布媒体は，例えば電気，磁気，光学，赤外線，若しくは半導体のシステム，デバイス，又は伝送媒体であってよいがこれらに限定されるものではない。計算機プログラム配布媒体は，計算機可読媒体と，プログラム記憶媒体と，記録媒体と，計算機可読メモリと，ランダムアクセスメモリと，消去可能プログラム可能読み出し専用メモリと，計算機可読ソフトウェア配布パッケージと，計算機可読信号と，計算機可読通信信号と，計算機可読印刷物と，計算機可読圧縮ソフトウェアパッケージと，のうち少なくとも一つを含んでもよい。
【００９０】
本発明を添付の図面による例を参照して説明したが，本発明はそれらに限定されるものではなく，本願の特許請求の範囲内でいくつかの方法で修正可能であることは明らかである。
【図１】
2010502147.tif 000003
【図２】
2010502147.tif 000004
【図３】
2010502147.tif 000005
【図４】
2010502147.tif 000006
【図５】
2010502147.tif 000007
【図６】
2010502147.tif 000008
【図７Ａ】
2010502147.tif 000009
【図７Ｂ】
2010502147.tif 000010
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
１又は複数の割当てスロットにおいて所定の周波数で第１基地局と通信するステップであって，前記第１基地局は待機フレームを含むフレーム形式信号を送信するステップと，
待機フレーム直前の割当てスロットが終了したとき，前記ユーザ装置がコネクションを有していない第２基地局が信号を送信している周波数に同調するステップと，
前記第２基地局が送信したフレーム形式信号を受信するステップと，
前記の受信した信号と参照信号との相関を取るステップと，
所定の期間，加算器ブロックによって相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この処理を終了するステップ，そうでなければ
前記待機フレームが終了するまで相関及び比較を継続し，
前記加算器ブロック内の値を保存し，
前記第１基地局が用いる周波数に再同調し，
２待機フレームごとに前記の処理を継続するステップと，
を有する方法。
【請求項２】
新規の相関結果が計算されたとき，一番古い相関結果を加算器ブロックから削除するステップを更に有する請求項１に記載の方法。
【請求項３】
前記第２基地局から受信したフレーム形式信号のｍ個の連続するシンボル期間に相関結果を計算するステップであって，ｍは正整数とするステップと，
周波数補正チャネルの長さに等しい所定期間に相関結果を合計するステップと，
を更に有する請求項１又は２に記載の方法。
【請求項４】
前記第２基地局の周波数に関して相関処理を開始するとき，前記加算器ブロック内の値をリセットするステップを更に有する請求項１〜３のいずれか一項に記載の方法。
【請求項５】
交互の待機フレームそれぞれに一つ，都合二つの加算器ブロックを用いて，前記第２基地局から受信した信号内の前記周波数補正チャネルを探索するステップを更に有する請求項１〜４のいずれか一項に記載の方法。
【請求項６】
前記第２基地局の周波数で相関計算が開始される待機フレームに対して，ｐを０以上の整数としたとき，第１加算器ブロックを用いてｐ＊５２待機フレームの間相関結果を合計し，第２加算器ブロックを用いて２６＋ｐ＊５２待機フレームの間相関結果を合計するステップを更に有する請求項５に記載の方法。
【請求項７】
請求項１〜６のいずれか一項に記載の方法を実行する命令を含む計算機プログラム。
【請求項８】
ユーザ装置であって，
１又は複数の割当てスロットにおいて所定の周波数で第１基地局と通信する手段であって，前記第１基地局は待機フレームを含むフレーム形式信号を送信する手段と，
待機フレーム直前の割当てスロットが終了したとき，前記ユーザ装置がコネクションを有していない第２基地局が信号を送信している周波数に同調する手段と，
前記第２基地局が送信したフレーム形式信号を標本化する手段と，
前記の標本と参照信号との相関を取る手段と，
所定の期間，前記の相関結果を合計する加算手段と，
所定の参照値と前記の合計を比較する手段と，
制御手段であって，前記合計が前記参照値を超えたときは，
周波数補正チャネルが検出されたと判定し，
前記フレーム形式信号内の周波数補正チャネルの位置を記憶し，
この相関処理を終了する，
手段，そうでなければ
前記待機フレームが終了するまで相関及び比較を継続し，
前記加算手段内の値を保存し，
前記第１基地局が用いる周波数に再同調し，
２待機フレームごとに前記の処理を継続するように前記ユーザ装置を制御する，
手段と，
を備えるユーザ装置。
【請求項９】
前記制御手段は，新規の相関結果が計算されたとき，一番古い相関結果を加算器ブロックから削除する手段を更に備える請求項８に記載のユーザ装置。
【請求項１０】
前記加算手段は，交互の待機フレームそれぞれに一つ，都合二つの加算器ブロックを用いて，前記第２基地局から受信した信号内の前記周波数補正チャネルを探索するステップを更に有する請求項８又は９に記載のユーザ装置。
【請求項１１】
前記二つの加算器ブロックの第１加算器ブロックは，前記第２基地局の周波数で相関計算が開始される待機フレームに対して，ｐを０以上の整数としたとき，ｐ＊５２待機フレームの間相関結果を合計するように構成し，前記二つの加算器ブロックの第２加算器ブロックは，２６＋ｐ＊５２待機フレームの間相関結果を合計するように構成する請求項１０に記載のユーザ装置。
【請求項１２】
装置であって，
フレーム形式信号の標本と参照信号との相関を取る手段と，
所定の期間，前記の相関結果を合計する加算手段と，
所定の参照値と前記の合計を比較する手段と，
制御手段であって，前記合計が前記参照値を超えたときは，
周波数補正チャネルが検出されたと判定し，
前記フレーム形式信号内の周波数補正チャネルの位置を記憶し，
この相関処理を終了する，
手段，そうでなければ
この相関処理に予約された時間が終了するまで相関及び比較を継続し，
前記加算手段内の値を保存し，
前記相関処理に予約された新規の時間が到来したとき，前記処理を再開するように前記装置を制御する
手段と，
を備える装置。
【請求項１３】
前記加算手段は，二つの加算器ブロックであって，該二つの加算器ブロックを交互に用いて前記の標本化信号内の周波数相関チャネルを探索するように構成した二つの加算器ブロックを備える請求項１２に記載の装置。
【請求項１４】
標本化したフレーム形式信号を受信するステップと，
前記の標本化信号と参照信号との相関を取るステップと，
所定の期間，加算器ブロックによって前記の相関結果を合計するステップと，
所定の参照値と前記の合計を比較し，
前記合計が前記参照値を超えたときは，
周波数補正チャネルが検出されたと判定し，
前記フレーム形式信号内の周波数補正チャネルの位置を記憶し，
この相関処理を終了するステップ，
そうでなければ
前記待機フレームが終了するまで相関及び比較を継続し，
前記加算器ブロック内の値を保存し，
前記相関処理に予約された新規の時間が到来したとき，前記の処理を継続するステップと，
を有する方法。
【請求項１５】
交互の各待機フレームに二つの加算器ブロックを交互に用いて前記の標本化信号内の周波数相関チャネルを探索するステップを更に有する請求項１４に記載の方法。
【国際調査報告】
2010502147.tif 000011
2010502147.tif 000012
2010502147.tif 000013
2010502147.tif 000014
2010502147.tif 000015